(57)【要約】【課題】部材や組み付け状態において寸法にバラツキがあってもロータとプレートとの間に生じる隙間に起因する騒音を抑制する。【解決手段】フロント側およびエンド側のステータアッシー２００，３００と、ステータアッシー２００，３００内に収められるロータ部材４０２およびシャフト４０３を備えたロータ４００と、ステータアッシー２００，３００の軸方向両側に配設されてステータアッシー２００，３００を結合するフロントプレート２１０およびエンドプレート３１０を備えた構成において、フロントプレート２１０のロータ部材４０２への対向面に環状の突起７００を突設し、突起７００の内側にフロントプレート２１０とロータ部材４０２との間に介装されたコイルばね８００を収容し、コイルばねによりロータ４００をエンドプレート３１０側に付勢してロータ４００をエンドプレート３１０に弾性的に押し付ける。【選択図】図２
2018148653.tif 000002
【特許請求の範囲】
【請求項１】
シャフトを有するロータと、
前記ロータに近接して配設されたステータと、
前記ロータの軸方向一端側に対向して配設され、前記シャフトを支持する支持部を有するプレートと、
を備え、
前記プレートは、前記ロータへの対向面に、前記ロータ側に突出し、かつ前記シャフトを囲む環状の突起を有し、
前記突起の内側に、前記シャフトに外装された状態で前記プレートと前記ロータとの間に介装され、前記ロータを軸方向他端側に付勢して該ロータを他の部材に弾性的に押し付けるコイルばねが設けられていることを特徴とするステッピングモータ。
【請求項２】
前記突起の前記ロータ側へ突出する軸方向高さが、前記コイルばねの密着高さより高いことを特徴とする請求項１に記載のステッピングモータ。
【請求項３】
前記プレートは、前記ステータのコイルが接続される端子ピンが設けられる端子台部と、フランジ部とを備え、
前記フランジ部には、固定部材への固定用の固定ピンが設けられていることを特徴とする請求項１または２に記載のステッピングモータ。
【請求項４】
前記プレートの前記フランジ部は径方向に延在する形態であって、該フランジ部が複数形成されていることを特徴とする請求項１〜３のいずれかに記載のステッピングモータ。
【請求項５】
前記他の部材は、前記ロータの軸方向他端側に配設されたプレートであることを特徴とする請求項１〜４のいずれかに記載のステッピングモータ。
【発明の詳細な説明】
【技術分野】
【０００１】
本発明はステッピングモータに関する。
【背景技術】
【０００２】
従来、回路基板に直接固定するステッピングモータが知られている（例えば、特許文献１参照）。図７は同文献に記載されるものと同様のステッピングモータを示しており、このモータは、ステータ１０の内側にシャフト２１、ロータ部材２２およびロータマグネット２３からなるロータ２０が収容され、ステータ１０の軸方向両側にフロントプレート３０およびエンドプレート４０が固定された構造を有し、回路基板７０に固定されるものである。
【０００３】
フロントプレート３０は、回路基板７０への位置決めを行う図示せぬ位置決めピンと、回路基板７０に嵌合されるボス部３１と、回路基板７０に半田付けされる端子ピン３２と、回路基板７０に半田付けされ電極として機能しない固定ピン３３とを備えており、ボス部３１を回路基板７０に嵌合し、端子ピン３２と固定ピン３３を回路基板７０に直接半田付けすることでモータは回路基板７０に固定されるようになっている。このモータにおいては、ロータ２０のロータ部材２２と、フロントプレート３０およびエンドプレート４０との間に、それぞれシャフト２１に嵌め込んだゴムワッシャ５０，６０が介装され、これらゴムワッシャ５０，６０によってロータ２０の軸方向のガタによる衝撃を吸収する構造となっている。
【先行技術文献】
【特許文献】
【０００４】
【特許文献１】特開２０１４−０２７８４３号公報
【発明の概要】
【発明が解決しようとする課題】
【０００５】
ところで、図７に示すモータにおいて各部材の寸法や組み付け状態での寸法にバラツキがあると、一定の高さ寸法（軸方向の厚さ）に設定されたゴムワッシャ５０，６０では、組み付け時にゴムワッシャ５０，６０とロータ２０のロータ部材２２との間に隙間が生じる場合がある。そのような隙間が生じるとロータ２０の軸方向のガタを吸収することができず、ロータ部材２２がゴムワッシャ５０，６０に衝突して騒音が生じるという問題が起こる。また、上記バラツキが生じた場合には、そのバラツキに応じてゴムワッシャ５０，６０の厚さを調整することが考えられるが、その際には、バラツキ調整として厚さを変えた複数種類のゴムワッシャを用意する必要があり、このため、部品点数の増加や作業効率の低下を招き、結果としてコストが増加するという問題が生じる。
【０００６】
本発明は上記事情に鑑みてなされたものであり、部材や組み付け状態において寸法にバラツキがあっても軸方向に配置されたロータとプレートとの間に生じる隙間に起因する騒音が抑制されるとともに、そのような構造をコストの増加を招くことなく得ることができるステッピングモータを提供することを目的とする。
【課題を解決するための手段】
【０００７】
本発明のステッピングモータは、シャフトを有するロータと、前記ロータに近接して配設されたステータと、前記ロータの軸方向一端側に対向して配設され、前記シャフトを支持する支持部を有するプレートと、を備え、前記プレートは、前記ロータへの対向面に、前記ロータ側に突出し、かつ前記シャフトを囲む環状の突起を有し、前記突起の内側に、前記シャフトに外装された状態で前記プレートと前記ロータとの間に介装され、前記ロータを軸方向他端側に付勢して該ロータを他の部材に弾性的に押し付けるコイルばねが設けられていることを特徴とする。
【０００８】
本発明によれば、コイルばねで付勢されたロータが他の部材に弾性的に押し付けられる。これにより、部材や組み付け状態においてバラツキがあっても、軸方向に配置されたロータとプレートとの間に生じる隙間に起因する騒音が抑制される。また、構造が簡素であるため、コストの増加を招くことなく騒音抑制が図られる。なお、本発明で言う「ロータを他の部材に弾性的に押し付ける」は、ロータが他の部材に直接接触した状態である形態は勿論のこと、ロータと他の部材との間にワッシャ等の部材が介装されている場合も含むものとする。
【０００９】
本発明は、前記突起の前記ロータ側へ突出する軸方向高さが、前記コイルばねの密着高さより高い形態を含む。この形態によれば、例えばロータが大きな力を受けてプレート方向に移動した場合、コイルばねが圧縮高さの状態になる前にロータが突起に当接する。このため、コイルばねの損傷を防ぐことができる。
【００１０】
また、本発明は、前記プレートは、前記ステータのコイルが接続される端子ピンが設けられる端子台部と、フランジ部とを備え、前記フランジ部には、固定部材への固定用の固定ピンが設けられている形態を含む。この形態によれば、本発明のステッピングモータを固定ピンによって固定部材に固定することができる。
【００１１】
また、本発明は、前記プレートの前記フランジ部は径方向に延在する形態であって、該フランジ部が複数形成されている形態を含む。
【００１２】
また、本発明は、前記他の部材は、前記ロータの軸方向他端側に配設されたプレートである形態を含む。
【発明の効果】
【００１３】
本発明のステッピングモータによれば、部材や組み付け状態において寸法にバラツキがあっても軸方向に配置されたロータとプレートとの間に生じる隙間に起因する騒音が抑制されるとともに、そのような構造をコストの増加を招くことなく得ることができるといった効果を奏する。
【図面の簡単な説明】
【００１４】
【図１】本発明の一実施形態に係るステッピングモータの斜視図である。
【図２】一実施形態のステッピングモータの断面図である。
【図３】フロントプレートの突起を示す（Ａ）斜視図、（Ｂ）断面図である。
【図４】本発明の他の実施形態に係るステッピングモータの斜視図である。
【図５】他の実施形態のステッピングモータの正面図である。
【図６】他の実施形態のステッピングモータの断面図である。
【図７】従来のステッピングモータの断面図である。
【発明を実施するための形態】
【００１５】
以下、図面を参照して本発明の実施形態を説明する。
［１］第１実施形態
［１−１］ステッピングモータの構成
図１および図２は、第１実施形態のクローポール型のステッピングモータ１００Ａを示している。ステッピングモータ１００Ａは、ステータの構造として、環状のフロント側ステータアッシー（ステータ）２００およびエンド側ステータアッシー（ステータ）３００を同軸的に結合した構造を有し、その内側にシャフト４０３を有するロータ４００が回転自在な状態で収められている。各ステータアッシー２００，３００は軸方向の外側にそれぞれ配設された円板状のフロントプレート２１０とエンドプレート（他の部材）３１０に挟まれ、これらプレート２１０，３１０により結合状態が保持されてステッピングモータ１００Ａが構成されている。
【００１６】
図２の符号６００は各種の電子デバイスが搭載された回路基板（固定部材）であり、ステッピングモータ１００Ａはフロントプレート２１０を回路基板６００に合わせた状態でこの回路基板６００に固定される。
【００１７】
フロント側ステータアッシー２００とエンド側ステータアッシー３００は同一構成であり、それぞれカップ状の外ヨーク２２０と、ボビン２３０と、円板状の内ヨーク２４０とから構成されている。図２に示すように、外ヨーク２２０は、環状の底面部２２１と、底面部２２１の外周縁から軸方向に延びる円筒部２２２とを備え、底面部２２１の中央に形成された開口の周縁に軸方向に立設する複数の極歯２２３が櫛歯状に設けられている。一方、内ヨーク２４０は、中央の開口の周縁に軸方向に立設する複数の極歯（不図示）が櫛歯状に設けられている。外ヨーク２２０と内ヨーク２４０は、それぞれの極歯が所定のギャップを隔てて交互に噛み合った状態に組み合わされる。
【００１８】
ボビン２３０は樹脂製であってコイル２３１が巻回されており、上記のように組み合わされた外ヨーク２２０と内ヨーク２４０内の環状の空間に収容されている。ボビン２３０は端子部２３２を備え、この端子部２３２には、コイル２３１の巻線の端部が絡げられ接続される金属製の端子２３３が埋め込まれている。上記構成のステータアッシー２００，３００は、内ヨーク２４０どうしが合わせられ、軸方向における向きを互いに逆向きにして結合されている。
【００１９】
フロントプレート２１０はフロント側のハウジングを構成するものであり、樹脂により構成されている。図１に示すように、フロントプレート２１０は、その外縁部にエンド側ステータアッシー３００の方向に延びる左右一対のバンド結合部２１１を有している。バンド結合部２１１は、外側に突出した爪部２１２を備えている。バンド結合部２１１はバンド５００と結合し、これによりフロント側ステータアッシー２００とエンド側ステータアッシー３００とが結合される。
【００２０】
フロントプレート２１０の図１および図２においてその上部には端子台部２１３が一体に形成され、下部には固定ピン配置部２１７が一体に形成されている。さらにフロントプレート２１０の中心には軸方向外側に突出する略筒状のボス部２１６が一体に形成されている。
【００２１】
端子台部２１３には、軸方向に延びる４本の端子ピン２１４が埋め込まれている。端子ピン２１４は、図２に示す回路基板６００への通電端子として機能するもので、一端部が回路基板６００に固定され、他端部が上記端子２３３に接続される。
【００２２】
固定ピン配置部２１７は、ボス部２１６を中心として端子台部２１３と対称な位置に設けられている。固定ピン配置部２１７には、軸方向に突出する２本の固定ピン２１８が固定されている。固定ピン２１８は略Ｕ字型の金属部材であり、固定ピン配置部２１７に設けられた孔に圧入され固定されている。固定ピン２１８はステッピングモータ１００Ａを回路基板６００に固定する部材であって半田付けが可能な材質からなるが、通電端子としては機能しない。
【００２３】
ボス部２１６には軸方向に延びる複数のスリット状の割り２１６ａが形成されている。ボス部２１６の内径はシャフト４０３よりもやや大きく、ボス部２１６内をシャフト４０３が貫通している。フロントプレート２１０の中心にはシャフト４０３が貫通する軸受孔２１５が形成されている。シャフト４０３は軸受孔２１５の内周面（支持部）２１５ａに接触して摺動可能であり、シャフト４０３はその内周面２１５ａで回転自在に支持されている。
【００２４】
また、図１に示すようにフロントプレート２１０の端子台部２１３には軸方向に延びる位置決めピン２１９が一体に形成されている。位置決めピン２１９は回路基板６００に設けられた位置決め孔（図示せず）に嵌合され、これによりステッピングモータ１００Ａの回路基板６００に対する位置決めがなされる。
【００２５】
エンド側ステータアッシー３００のエンドプレート３１０はエンド側のハウジングを構成するものであり、樹脂により構成されている。図１に示すように、エンドプレート３１０は、上記バンド結合部２１１に対向するようにフロント側ステータアッシー２００の方向に延びる左右一対のバンド接触部３１１を有している。また、図２に示すように、エンドプレート３１０の中心にはシャフト４０３が貫通する軸受孔３１５が形成されている。シャフト４０３は軸受孔３１５の内周面（支持部）３１５ａに接触して摺動可能であり、シャフト４０３はその内周面３１５ａで回転自在に支持されている。
【００２６】
図２に示すように、ロータ４００は、円柱状のロータ部材４０２と、ロータ部材４０２の外周に固定されたロータマグネット４０１と、ロータ部材４０２の軸心を貫通して固定されたシャフト４０３とから構成されている。ロータマグネット４０１は、周方向にＮ・Ｓ・Ｎ・Ｓと交互に着磁がされた磁極の構造を有している。シャフト４０３は、上記のようにフロントプレート２１０とエンドプレート３１０に設けられた軸受孔２１５，３１５に通され、それら軸受孔２１５，３１５の内周面２１５ａ，３１５ａに直接接触し摺動することで回転自在に支持されている。なお、シャフト４０３を転がり軸受等の軸受装置を介してフロントプレート２１０およびエンドプレート３１０に対し回転自在に支持する構成を採用してもよい。
【００２７】
図１に示すように、バンド５００はばね性を有する金属材料で構成された概略コ字状の部材であり、エンドプレート３１０の外面に重ねて組み付けられる本体部５０５と、本体部５０５からフロント側ステータアッシー２００の方向に延びる左右一対のアーム部５０１を備えている。バンド５００は、本体部５０５の中央部に形成された孔５０５ａをエンドプレート３１０の外面の中心に形成された凸部３１２に嵌合させることで、エンドプレート３１０に組み付けられる。
【００２８】
バンド５００の各アーム部５０１には、矩形の孔５０１ａが設けられている。この孔５０１ａにフロントプレート２１０のバンド結合部２１１の爪部２１２が入って引っ掛かることによりバンド５００がフロントプレート２１０に係合し、フロント側ステータアッシー２００とエンド側ステータアッシー３００とが結合されるようになっている。バンド５００のアーム部５０１はエンドプレート３１０のバンド接触部３１１の外側に接触し、弾性変形した状態で孔５０１ａが爪部２１２に引っ掛かる。これにより各プレート２１０，３１０が互いに引っ張り合う状態となって強く結合され、かつ、バンド５００がフロントプレート２１０から外れないようになされる。
【００２９】
図２に示すように、回路基板６００には、ボス嵌合孔６０１、コンタクトホール６０２、ピン固定用孔６０４がそれぞれ形成されている。またこれらの他に上記位置決め孔（不図示）が形成されている。本実施形態のステッピングモータ１００Ａは、回路基板６００に対し、位置決めピン２１９が上記位置決め孔に嵌合され、ボス部２１６がボス孔６０１に押し込まれて嵌合されるとともに、端子ピン２１４の端部２１４ａがコンタクトホール６０２に挿入され、固定ピン２１８がピン固定用孔６０４に挿入された状態で、フロントプレート２１０が回路基板６００に合わせられる。そして、コンタクトホール６０２の周囲のプリントパターンを構成する銅箔６０３と端子ピン２１４とが半田付けされ、ピン固定用孔６０４の周囲の銅箔６０５と固定ピン２１８とが半田付けされることで、ステッピングモータ１００Ａは回路基板６００に固定される。
【００３０】
［１−２］ロータの軸方向支持の構造
本実施形態のステッピングモータ１００Ａは、ロータ４００の軸方向のガタを抑えて騒音を抑制する構造を有している。以下、その構造を説明する。
【００３１】
図２に示すように、フロントプレート２１０の内面すなわちロータ４００への対向面における軸受孔２１５の周囲には、環状の突起７００が一体に形成されている。この突起７００は、図３に示すように先端縁部に複数（この場合、３つ）のボス７０１が等間隔をおいて形成されている。ロータ４００のシャフト４０３は、この突起７００内を挿通している。そしてこの突起７００内には、シャフト４０３に外装された状態でコイルばね８００が収容されている。コイルばね８００はフロントプレート２１０とロータ部材４０２との間に圧縮状態で介装されている。
【００３２】
コイルばね８００とフロントプレート２１０との間、およびコイルばね８００とロータ部材４０２との間には、摺動性が良好な樹脂等の材料からなるワッシャ９０１，９０２がそれぞれ介装されている。また、ロータ部材４０２とエンドプレート３１０との間にも同様のワッシャ９０３が介装されている。これらワッシャ９０１〜９０３はいずれもシャフト４０３に外装されている。また、図３（Ｂ）に示すようにコイルばね８００が収容されている突起７００の最大高さＨ、すなわち突起７００内の底面（フロントプレート２１０の内面）からボス７０１の先端面までの軸方向寸法は、コイルばね８００の密着高さ（隣り合うコイルが密着した時の高さ）よりも高く設定されている。
【００３３】
コイルばね８００は突起７００のボス７０１の端面から突出しており、ワッシャ９０２を介してロータ部材４０２をエンドプレート３１０側に付勢している。これによりロータ部材４０２はワッシャ９０３を介してエンドプレート３１０に弾性的に押し付けられ、互いに対向するロータ部材４０２とボス７０１の端面間には隙間が形成される。
【００３４】
［１−３］作用効果
本実施形態では、ロータ４００はコイルばね８００によってエンドプレート３１０側に付勢され、ロータ部材４０２がワッシャ９０３を介してエンドプレート３１０に弾性的に常に押し付けられており、軸方向への動きが規制されている。このため、ステッピングモータ１００Ａを構成する各部材や組み付け状態においてバラツキがあってもロータ４００の軸方向のガタが吸収され、騒音の発生が抑制される。また、構造が簡素であるため、コストの増加を招くことなく騒音抑制が図られる。また、突起７００のロータ４００側への突出高さがコイルばね８００の密着高さより高いため、例えば予期せぬ大きな力をロータ４００が受けてフロントプレート２１０の方向に移動しロータ部材４０２の端面が突起７００のボス７０１の端面に当接した場合、コイルばね８００は圧縮高さまで縮小しない。このため、コイルばね８００の損傷を防ぐことができる。
【００３５】
また、突起７００の端面に複数のボス７０１を形成し、ロータ部材４０２が当接する端面を全周にわたる環状の平面としていない。このため、突起７００の最大高さ寸法の精度出しをそれらボスで行うことができ、その結果、突起７００の最大高さ寸法や端面の平面度の精度が得られ易い。さらに、ロータ４００の回転時にロータ部材４０２が突起７００に当接して摺動する際の接触面積を小さくすることができ、これにより摩擦の低減が図られる。摩擦低減の観点から、ボス７０１を円弧状に形成してロータ部材４０２に対し点接触あるいはそれに近い状態としてもよい。
【００３６】
［２］第２実施形態
次に、図４〜図６を参照して本発明の第２実施形態に係るステッピングモータ１００Ｂを説明する。第２実施形態のステッピングモータ１００Ｂは、フロント側ステータアッシー２００とエンド側ステータアッシー３００との結合手段およびフロントプレートの構成が上記第１実施形態のステッピングモータ１００Ａと相違している。第２実施形態のステッピングモータ１００Ｂにおいては、各ステータアッシー２００，３００およびロータ４００の構成は第１実施形態と同様であり、同一構成要素には同一の符号を付して説明を省略または簡略化する。以下、上記相違点について説明する。なお、第２実施形態のロータ４００は、外周面に図示せぬロータマグネットが設けられたロータ部材４０２と、ロータ部材４０２の軸心を貫通して固定されやシャフト４０３とからなるものとする。
【００３７】
第２実施形態のフロント側ステータアッシー２００とエンド側ステータアッシー３００との結合手段は樹脂モールドであり、さらに樹脂モールド時にエンドプレート３５０が同時に成形されている。樹脂モールドを行うにあたっては、図６に示すように、コイル２３１を巻回したボビン２３０を内側に収容し、かつ、外ヨーク２２０の極歯２２３と内ヨーク２４０の極歯２４３が所定のギャップを隔てて交互に噛み合った状態とした各ステータアッシー２００，３００を、外ヨーク２２０の底面部２２１どうしを互いに合わせ同軸的に重ねた状態として、図示せぬ金型内にセットする。すなわち、第２実施形態では第１実施形態と逆に、外ヨーク２２０を軸方向内側に配置し、内ヨーク２４０を軸方向外側に配置する。
【００３８】
次に、熱可塑性樹脂を上記金型内に注入することによって極歯２２３，２４３の間に樹脂が充填され、ステータアッシー２００，３００が樹脂で一体化される。また、同時に円板状のエンドプレート３５０がエンド側ステータアッシー３００の外側に樹脂で成形される。
【００３９】
上記のように樹脂モールドした後、金型から取り出した成形体のフロント側ステータアッシー２００の内ヨーク２４０の外面にフロントプレート２５０が重ねられる。そして、図５および図６に示すように、フロント側ステータアッシー２００における外ヨーク２２０の円筒部２２２の周縁を、フロントプレート２５０の外周縁に略均等配置で形成された３箇所のノッチ２５２にカシメ固着して、第２実施形態のステッピングモータ１００Ｂが得られる。ノッチ２５２を利用したカシメ固着の箇所は３箇所に限定されず、２箇所以上であればよい。
【００４０】
次に、第２実施形態のフロントプレート２５０を説明する。図４および図５に示すように、フロントプレート２５０は、フロント側ステータアッシー２００に対し同軸的に位置付けられてこのフロント側ステータアッシー２００を覆う円板部２５１を主体としており、この円板部２５１の両側に、円板部２５１の径方向外方に延びるフランジ部２５３がそれぞれ形成されている。フランジ部２５３は、図５において円板部２５１のほぼ下半分の領域における縁部から斜め上方に延び、幅が均一であって先端が半円弧状に形成されている。
【００４１】
図６に示すように、円板部２５１の中心にはシャフト４０３の軸受孔２５５が形成されている。一方、エンドプレート３５０にもシャフト４０３の軸受孔３５５が形成されている。シャフト４０３は、第１実施形態と同様に、フロントプレート２５０とエンドプレート３５０に形成された軸受孔２５５，３５５に通され、それら軸受孔２５５，３５５の内周面２５５ａ，３５５ａに直接接触し摺動することで回転自在に支持されている。
【００４２】
図４および図５において円板部２５１の上部には端子台部２５６が一体に形成されている。端子台部２５６には第１実施形態と同様に軸方向に延びる４本の端子ピン２１４が埋め込まれている。さらに、各フランジ部２５３の円板部２５１に対する根元部分と、端子台部２５６の下部には、軸方向に延びる位置決めピン２５９がそれぞれ一体に形成されている。位置決めピン２５９は３本で周方向にほぼ９０°のピッチで配置されているが、本数は限定されない。さらにフランジ部２５３の先端部付近には、軸方向に突出する上下一対の固定ピン２５８が固定されている。固定ピン２５８は第１実施形態の固定ピン２５８と同様の略Ｕ字型の金属部材であり、フランジ部２５３に設けられた孔に圧入され固定されている。固定ピン２５８は、シャフト４０３の中心と端子台部２５６の中点を通る線（図５の二点鎖線）を対称軸として略線対称に配置されている。
【００４３】
端子ピン２１４、固定ピン２５８および位置決めピン２５９は、図６に示す回路基板６００にステッピングモータ１００Ｂを固定する際に利用される。回路基板６００には、位置決め孔６０６、コンタクトホール６０２、ピン固定用孔６０４がそれぞれ形成され、さらにシャフト４０３の挿通孔６０７が形成されている。ステッピングモータ１００Ｂは、シャフト４０３が挿通孔６０７に通され、位置決めピン２５９が位置決め孔６０６に挿入されるとともに、端子ピン２１４がコンタクトホール６０２に挿入され、固定ピン２５８がピン固定用孔６０４に挿入された状態で、フロントプレート２５０が回路基板６００に合わせられる。そして、コンタクトホール６０２の周囲のプリントパターンを構成する銅箔６０３と端子ピン２１４とが半田付けされ、ピン固定用孔６０４の周囲の銅箔６０５と固定ピン２５８とが半田付けされることで、ステッピングモータ１００Ｂは回路基板６００に固定される。
【００４４】
ステッピングモータ１００Ｂは、端子台部２５６に固定された４本の端子ピン２１４による箇所と、各フランジ部２５３に固定された固定ピン２５８による２箇所の計３箇所が回路基板６００に半田付けされる。このため、端子ピン２１４の接合部に過大な負荷がかかることなくバランスの良好な固定構造が得られ、その結果、ステッピングモータ１００Ｂの取り付け強度を向上させることができる。なお、第２実施形態のフロントプレート２５０は第１実施形態に示すボス部２１６を備えていないが、同様のボス部を備え、そのボス部をフロントプレート２５０の挿通孔６０７に嵌合し固定してもよく、その場合には取り付け強度がより向上するものとなる。
【００４５】
さて、第２実施形態のステッピングモータ１００Ｂにおいても、ロータ４００の軸方向のガタを抑える構造が適用されている。すなわち、図６に示すようにフロントプレート２５０の内面における軸受孔２５５の周囲には、環状の突起７１０が一体に形成され、この突起７１０内に、シャフト４０３に外装された状態でコイルばね８００がフロントプレート２５０とロータ部材４０２との間に圧縮状態で介装されている。コイルばね８００とフロントプレート２５０との間、およびコイルばね８００とロータ部材４０２との間には、摺動性が良好な樹脂等の材料からなるワッシャ９０１，９０２がそれぞれ介装されている。また、ロータ部材４０２とエンドプレート３５０との間にも同様のワッシャ９０３が介装されている。ロータ部材４０２はコイルばね８００によってエンドプレート３５０側に付勢され、ワッシャ９０３を介してエンドプレート３５０に常に押し付けられている。
【００４６】
突起７１０は、第１実施形態と同様に先端縁部に複数（この場合、３つ）のボス７１１が等間隔をおいて形成されており、その最大高さは、コイルばね８００の密着高さよりも高く設定されている。
【００４７】
このような構造により、第２実施形態においても第１実施形態と同様に、ロータ４００の軸方向のガタが吸収されることによる騒音発生の抑制、ならびに構造が簡素であることによるコスト増加の抑制といった効果が奏される。また、コイルばね８００を収容するボス７１１を含む突起７１０の高さがコイルばね８００の密着高さより高いことによりコイルばね８００の損傷が防止されるという効果も同様に得ることができる。
【産業上の利用可能性】
【００４８】
本発明は、ステッピングモータに利用することができる。
【符号の説明】
【００４９】
１００Ａ，１００Ｂ…ステッピングモータ
２００…フロント側ステータアッシー（ステータ）
２１０，２５０…フロントプレート
２１３，２５６…端子台部
２１４…端子ピン
２１８，２５８…固定ピン
２３１…コイル
２５３…フランジ部
２５５，３５５…軸受孔
２５５ａ，３５５ａ…軸受孔の内周面（支持部）
３００…エンド側ステータアッシー（ステータ）
３１０，３５０…エンドプレート（他の部材）
４００…ロータ
４０３…シャフト
６００…回路基板（固定部材）
７００，７１０…突起
７０１，７１１…突起のボス
８００…コイルばね
Ｈ…突起の高さ
【図１】
2018148653.tif 000003
【図２】
2018148653.tif 000004
【図３】
2018148653.tif 000005
【図４】
2018148653.tif 000006
【図５】
2018148653.tif 000007
【図６】
2018148653.tif 000008
【図７】
2018148653.tif 000009